(57)【要約】【課題】情報の複製と配布を簡便に管理できる情報配信システムとしての電子ペーパーシステムを提供することを目的とする。【解決手段】電子ペーパーと、外部からの電磁波信号を受信する無線タグ手段と、この無線タグ手段により受信した受信情報に基づいた画像を生成し電子ペーパーへ画像を記録する記録制御手段とを備えた表示装置２ａ，２ｂと、ＰＣ４に接続され、当該ＰＣ４からの情報を表示装置２ａ，２ｂの無線タグ手段に磁気や電界等の無線信号により転送する転送装置１と、ＰＣ４に接続され、画像を読取るスキャナ６とを備えた電子ペーパーシステムとしたものであり、転送装置１により表示装置２ａ，２ｂと非接触で通信することにより、所望する表示装置２ａ，２ｂや電子ペーパーへ情報のコピーと表示装置２ａ，２ｂ間の転送やその管理を簡便に行うとともに、表示画像を制御し情報管理をすることができる。【選択図】図１
2006059138.tif 000002
【特許請求の範囲】
【請求項１】
無電源状態で表示状態を保持し、磁気や電界等の印加により画像を表示する電子ペーパーと、外部からの電磁波信号を受信する無線タグ手段と、この無線タグ手段により受信した受信情報に基づいた画像を生成し前記電子ペーパーへ画像を記録する記録制御手段とを備えた表示装置と、パーソナルコンピュータ（以下、ＰＣという）に接続され、当該ＰＣからの情報を前記表示装置の前記無線タグ手段に磁気や電界等の無線信号により転送する転送装置と、前記ＰＣに接続され、画像を読取る画像読取り装置とを備えたことを特徴とする電子ペーパーシステム。
【請求項２】
前記ＰＣ上に、前記表示装置へ出力する情報の作成と管理を行う情報プログラムを搭載し、個別の識別記号（以下、ＩＤという）を前記表示装置に設け、前記情報プログラムにより、前記転送装置を通して前記ＩＤ情報を認識し、認識したＩＤと事前の処理手順に応じて情報の作成や管理を行うことを特徴とする請求項１に記載の電子ペーパーシステム。
【請求項３】
複写する画像品質を決める複写設定条件（以下、画質劣化率という）を設定する手段を設け、異なる表示装置の間で表示画像を転送する際に、複写元となる表示装置の表示画像データと画像劣化率を、複写先の表示装置へ前記転送装置を経由して転送する手段を設け、これにより、複写先の表示装置に、前記画質劣化率に応じて表示画像データを加工し、表示させるようにしたことを特徴とする請求項１または２に記載の電子ペーパーシステム。
【請求項４】
複写可能回数を決める複写設定条件を設定する手段を設け、複写元となる表示装置の表示画像データと複写設定条件を、複写先の表示装置へ転送装置を経由して転送したときに、複写先の表示装置にて、複写設定条件の複写回数を加算もしくは減算し、所定の値になると、表示画像データを全てクリアし、表示させなくする手段を設けたことを特徴とする請求項１〜３のいずれかの項に記載の電子ペーパーシステム。
【請求項５】
前記転送装置には、電力供給機能を持たせ、電磁波により前記表示装置へ電力供給を行い、前記表示装置には、受信した電磁波より電力を発生させ、これを蓄える蓄電池を備えたことを特徴とする請求項１〜４のいずれかの項に記載の電子ペーパーシステム。
【請求項６】
前記電子ペーパーは、前記表示装置から着脱可能であることを特徴とする請求項１〜５のいずれかの項に記載の電子ペーパーシステム。
【請求項７】
前記ＰＣに接続された画像読取り装置により、前記電子ペーパーの表示画像を読取る際に、前記電子ペーパーに搭載された無線タグと通信することで、読取った画像データを前記無線タグの記載情報に基づいて、画像処理する手段を設けたことを特徴とする請求項６に記載の電子ペーパーシステム。
【請求項８】
前記電子ペーパーと前記表示装置との着脱機構を、前記情報プログラムから制御する手段を設けたことを特徴とする請求項６または７に記載の電子ペーパーシステム。
【請求項９】
前記個別のＩＤの実装手段として使用される無線タグが、着脱可能な電子ペーパーと、前記表示装置のいずれか一方または両方に内蔵されていることを特徴とする請求項６〜８のいずれかの項に記載の電子ペーパーシステム。
【請求項１０】
前記転送装置が、前記個別のＩＤを有し、ネットワークに接続するためのインタフェース回路が内蔵されていることを特徴とする請求項１〜９のいずれかの項に記載の電子ペーパーシステム。
【請求項１１】
前記転送装置および表示装置の少なくとも一方に、ブザーの鳴動などの警告手段を有していることを特徴とする請求項１〜１０のいずれかの項に記載の電子ペーパーシステム。
【請求項１２】
前記情報プログラムは、複数の個別のＰＣへインストールされたときに、各ＰＣ上の情報プログラムが連携して動作し、情報管理と処理を行うことを特徴とする請求項１〜１１のいずれかの項に記載の電子ペーパーシステム。
【請求項１３】
前記表示装置もしくは前記電子ペーパーの無線タグは、前記転送装置と同様のデータ読取りと書込みを行う機能を有していることを特徴とする請求項１〜１２のいずれかの項に記載の電子ペーパーシステム。
【請求項１４】
前記画像読取り装置は、ネットワークに接続可能であることを特徴とする請求項１〜１３のいずれかの項に記載の電子ペーパーシステム。
【請求項１５】
前記転送装置は、異なる種類の複数のアンテナが内蔵されていることを特徴とする請求項１〜１４のいずれかの項に記載の電子ペーパーシステム。
【請求項１６】
前記表示装置は、複数のアンテナが内蔵されていることを特徴とする請求項１〜１５のいずれかの項に記載の電子ペーパーシステム。
【請求項１７】
前記複数のアンテナを有する転送装置において、表示装置に電力を供給できる一部のアンテナのみを駆動し、電力供給させることを特徴とする請求項１６に記載の電子ペーパーシステム。
【請求項１８】
前記アンテナを有する転送装置において、アンテナの一方の側に磁性体と金属シールドを施し、電磁波の出力方向を制限させることを特徴とする請求項１〜１７のいずれかの項に記載の電子ペーパーシステム。
【請求項１９】
前記電子ペーパーシステムの装置に使用するアンテナが有機材料で形成されることを特徴とする請求項１〜１８のいずれかの項に記載の電子ペーパーシステム。
【請求項２０】
前記電子ペーパーシステムの転送装置がテーブルに組み込まれていることを特徴とする請求項１〜１９のいずれかの項に記載の電子ペーパーシステム。
【発明の詳細な説明】
【技術分野】
【０００１】
本発明は、可読・可搬性が高く情報管理し易い電子ペーパーを利用した情報配信可能な電子ペーパーシステムに関する。
【背景技術】
【０００２】
従来、電子情報を可読性と可搬性の高い紙出力で見たい場合は、パーソナルコンピュータ（以下、ＰＣと記す）から、ＰＣまたはネットワークに接続したプリンタへ、その情報を印刷指示し、プリンタにより画像を用紙上に形成し、個人利用している。
【０００３】
また、用紙上に画像の形態で存在している情報を個人用に利用する場合は、複写機でコピーするか、もしくは、画像スキャナで読取り、電子情報化して、それをプリンタから用紙へ出力して利用している。
【０００４】
しかしながら、プリンタから情報を用紙に出力し配布する場合、情報が不要になると紙が廃棄されるので、資源のムダである。
【０００５】
ＰＣで作成、編集した情報を可読・可搬の形態で利用するには、携帯可能なノート型パソコンを無線ＬＡＮなどでネットワークシステムに接続して、液晶ディスプレイ等に表示させる形態があるが、可搬性が低く、また長時間見るには目が疲れるという問題がある。
【０００６】
用紙やＰＣのディスプレイ以外に、情報を可読にする手段として、例えば（特許文献１）には、タグ情報を記憶するメモリと、そのメモリに記憶されたタグ情報を無線で送受信する送受信回路と、前記メモリにおけるタグ情報の読出／書込および送受信回路の動作を制御する制御回路とを内蔵した無線タグに、タグ情報を表示する表示部を備えたデータ表示機能付き無線タグが開示されており、物流管理システム等で使用することを目的としている。
【０００７】
また、（特許文献２）には、コンテンツ及び当該コンテンツに対応するコンテンツコードを受信する手段と、コンテンツ及びコンテンツコードを記憶する記憶手段と、コンテンツコードが記憶されているペーパー状表示媒体からコンテンツコードを読取るコード読取手段と、コード読取手段が読取ったコンテンツコードに対応するコンテンツを記憶手段から取得し、ペーパー状表示媒体上に表示する表示手段とを備えた情報提供システムが開示されている。
【０００８】
（特許文献３）には、画像データ中に透かし信号を分散させ、その透かし信号を人から気付きにくくするようにした電子的すかし挿入方法が開示されている。
【特許文献１】特開２００２−２３６８９１号公報
【特許文献２】特開２００３−３３３００１号公報
【特許文献３】特開平９−１９１３９４号公報
【発明の開示】
【発明が解決しようとする課題】
【０００９】
前記（特許文献１）に開示された、無電源の表示機能の付いた一体型の無線タグの場合、無線で供給される電力が小さいため、表示サイズを大きくできないという問題があった。
【００１０】
また、（特許文献２）に開示されたような情報提供システムでは、電子データとして装
置に配布する場合は、無制限にデータを複製できるという危険性がある。その対策として提案された（特許文献３）に開示されたような「電子透かし」を付加して複写の制御を行うことが可能であるが、個々の表示装置として、その演算性能にノート型パソコンと同等の高性能な処理能力が必要になり、高価になるという問題、または、安価な処理性能の部品で構成するとその演算処理時間が長くなるという、性能・コストと処理時間という両立しないトレードオフの問題を有していた。
【００１１】
本発明は、これらの問題を解決するためのもので、電子ペーパーを情報表示の媒体として、情報の複製と配布を簡便に管理できる情報配信システムとしての電子ペーパーシステムを提供することを目的とする。
【課題を解決するための手段】
【００１２】
本発明は、電子ペーパーと、外部からの電磁波信号を受信する無線タグ手段と、この無線タグ手段により受信した受信情報に基づいた画像を生成し前記電子ペーパーへ画像を記録する記録制御手段とを備えた表示装置と、ＰＣに接続され、当該ＰＣからの情報を表示装置の無線タグ手段に磁気や電界等の無線信号により転送する転送装置と、ＰＣに接続され、画像を読取る画像読取り装置とを備えた電子ペーパーシステムとしたことを主要な特徴とする。
【発明の効果】
【００１３】
本発明の電子ペーパーシステムは、転送装置により表示装置と非接触で通信することにより、所望する表示装置や電子ペーパーへ情報のコピーと表示装置間の転送やその管理を簡便に行うとともに、表示画像を制御し情報管理をすることができる。
【発明を実施するための最良の形態】
【００１４】
本発明は、電子ペーパーを情報表示の媒体として、情報の複製と配布を簡便に管理できる情報配信システムとしての電子ペーパーシステムを提供するという目的を、電子ペーパーと、外部からの電磁波信号を受信する無線タグ手段と、この無線タグ手段により受信した受信情報に基づいた画像を生成し前記電子ペーパーへ画像を記録する記録制御手段とを備えた表示装置と、ＰＣに接続され、当該ＰＣからの情報を表示装置の無線タグ手段に磁気や電界等の無線信号により転送する転送装置と、ＰＣに接続され、画像を読取る画像読取り装置とを備えることにより実現した。
【００１５】
上記課題を解決するためになされた第１の発明は、無電源状態で表示状態を保持し、磁気や電界等の印加により画像を表示する電子ペーパーと、外部からの電磁波信号を受信する無線タグ手段と、この無線タグ手段により受信した受信情報に基づいた画像を生成し電子ペーパーへ画像を記録する記録制御手段とを備えた表示装置と、パーソナルコンピュータ（以下、ＰＣという）に接続され、当該ＰＣからの情報を表示装置の無線タグ手段に磁気や電界等の無線信号により転送する転送装置と、ＰＣに接続され、画像を読取る画像読取り装置とを備えたことを特徴とする電子ペーパーシステムとしたものであり、転送装置により表示装置と非接触で通信することにより、所望する表示装置や電子ペーパーへ情報のコピーと表示装置間の転送やその管理を簡便に行うとともに、表示画像を制御し情報管理をすることができる。
【００１６】
上記課題を解決するためになされた第２の発明は、第１の発明において、ＰＣ上に、表示装置へ出力する情報の作成と管理を行う情報プログラムを搭載し、個別の識別記号（以下、ＩＤという）を表示装置に設け、情報プログラムにより、転送装置を通してＩＤ情報を認識し、認識したＩＤと事前の処理手順に応じて情報の作成や管理を行うこととしたものであり、電子ペーパーや表示装置を検知し、表示側の固体識別情報を情報プログラムで認識させることにより、固体識別情報に基づいて、事前に設定・登録された情報や処理手
順や画面上の操作により、簡便に所望する表示装置や電子ペーパーへ情報のコピーと表示装置間の転送やその管理を行うとともに、表示画像の制御ができ、さらに、空間に転送装置を複数配置することにより電子ペーパーや表示装置を検知し情報管理することができる。
【００１７】
上記課題を解決するためになされた第３の発明は、複写する画像品質を決める複写設定条件（以下、画質劣化率という）を設定する手段を設け、異なる表示装置の間で表示画像を転送する際に、複写元となる表示装置の表示画像データと画像劣化率を、複写先の表示装置へ転送装置を経由して転送する手段を設け、これにより、複写先の表示装置に、画質劣化率に応じて表示画像データを加工し、表示させるようにしたものであり、複写する度に徐々に画像情報のコントラストを落とすことで、複写などの行為に対しても情報セキュリティや著作権の維持としての多様な制約を行うことができる。
【００１８】
上記課題を解決するためになされた第４の発明は、複写可能回数を決める複写設定条件を設定する手段を設け、複写元となる表示装置の表示画像データと複写設定条件を、複写先の表示装置へ転送装置を経由して転送したときに、複写先の表示装置にて、複写設定条件の複写回数を加算もしくは減算し、所定の値になると、表示画像データを全てクリアし、表示させなくする手段を設けたものであり、複写回数に制限を持たせることで、複写などの行為に対しても情報セキュリティや著作権の維持としての多様な制約を行うことができる。
【００１９】
上記課題を解決するためになされた第５の発明は、転送装置には、電力供給機能を持たせ、電磁波により表示装置へ電力供給を行い、表示装置には、受信した電磁波より電力を発生させ、これを蓄える蓄電池を備えたものであり、これにより外部電源なしで転送装置を駆動することができる。
【００２０】
上記課題を解決するためになされた第６の発明は、電子ペーパーは、表示装置から着脱可能であることとしたものであり、表示装置を持ち上げる場合と比較して、軽量となり使用者の疲労感を軽減することができる。
【００２１】
上記課題を解決するためになされた第７の発明は、ＰＣに接続された画像読取り装置により、電子ペーパーの表示画像を読取る際に、電子ペーパーに搭載された無線タグと通信することで、読取った画像データを無線タグの記載情報に基づいて、画像処理する手段を設けたものであり、画像データと一緒にタグ情報を読取らせることにより、所定の画像処理を簡便に行うことができる。
【００２２】
上記課題を解決するためになされた第８の発明は、電子ペーパーと表示装置との着脱機構を、情報プログラムから制御する手段を設けたものであり、安全な利用と確実な表示が可能となる。
【００２３】
上記課題を解決するためになされた第９の発明は、個別のＩＤの実装手段として使用される無線タグが、着脱可能な電子ペーパーと、表示装置のいずれか一方または両方に内蔵されているものであり、電子ペーパーに付随したタグ情報も画像データと同時に読取ることができるので、情報の一元管理や複写制限などの継続性が保たれる。
【００２４】
上記課題を解決するためになされた第１０の発明は、転送装置が、個別のＩＤを有し、ネットワークに接続するためのインタフェース回路が内蔵されているものであり、複数の転送装置を一元管理できる。
【００２５】
上記課題を解決するためになされた第１１の発明は、転送装置および表示装置の少なく
とも一方に、ブザーの鳴動などの警告手段を有しているものであり、これにより、警告音や操作音を出力できる。
【００２６】
上記課題を解決するためになされた第１２の発明は、情報プログラムは、複数の個別のＰＣへインストールされたときに、各ＰＣ上の情報プログラムが連携して動作し、情報管理と処理を行うものであり、これによりＰＣの情報プログラムによる一元管理ができる。
【００２７】
上記課題を解決するためになされた第１３の発明は、表示装置もしくは電子ペーパーのＩＤ無線タグは、転送装置と同様のデータ読取りと書込みを行う機能を有しているものであり、電子ペーパーを画像読取り装置で読取れば、電子ペーパーに付随したタグ情報も画像データと同時に読取ることができるので、情報の一元管理や複写制限などの継続性を保つことができる。
【００２８】
上記課題を解決するためになされた第１４の発明は、画像読取り装置は、ネットワークに接続可能であるものであり、画像読取り時の情報管理と画像処理について一元化が可能となる。
【００２９】
上記課題を解決するためになされた第１５の発明は、転送装置は、異なる種類の複数のアンテナが内蔵されているものであり、通信の効率化、長距離化、高信頼性化、多様化が可能となる。
【００３０】
上記課題を解決するためになされた第１６の発明は、表示装置は、複数のアンテナが内蔵されていることとしたものであり、通信の効率化、長距離化、高信頼性化、多様化が可能となる。
【００３１】
上記課題を解決するためになされた第１７の発明は、複数のアンテナを有する転送装置において、表示装置に電力を供給できる一部のアンテナのみを駆動し、電力供給させることとしたものであり、効率化と安全性向上を保って、使用範囲を拡大することができる。
【００３２】
上記課題を解決するためになされた第１８の発明は、アンテナを有する転送装置において、アンテナの一方の側に磁性体と金属シールドを施し、電磁波の出力方向を制限させることとしたものであり、これにより、アンテナの損失を少なくすることができる。
【００３３】
上記課題を解決するためになされた第１９の発明は、電子ペーパーシステムの装置に使用するアンテナが有機材料で形成されることとしたものであり、これにより、転送装置や表示装置をより小型・薄型にし、軽量化が可能となる。
【００３４】
上記課題を解決するためになされた第２０の発明は、電子ペーパーシステムの転送装置がテーブルに組み込まれていることとしたものであり、転送装置を利用者が意識することなく、簡易に使用することができる。
【００３５】
以下、紙のように読める機能を持たせて、かつ、情報管理に優れた本発明の電子ペーパーシステムを実施するための最良の形態について、図面を参照しながら説明する。
【００３６】
（実施の形態１）
図１は、本発明の実施の形態１における電子ペーパーシステムの構成図である。図１において、本実施の形態に係る電子ペーパーシステムは、転送装置１と、表示装置２ａおよび２ｂと、情報プログラム３がインストールされたＰＣ４と、ケーブル５と、画像読取り装置（以下、スキャナと記す。）６とを備えている。
【００３７】
転送装置１は、ＰＣ４とケーブル５で接続され、スキャナ６もＰＣ４とケーブル５で接続されている。また、転送装置１と表示装置２ａおよび２ｂは、無線で通信接続される。
【００３８】
なお、図１では、ＰＣ４とスキャナ６や転送装置１がケーブル５で接続されているが、無線ＬＡＮのような手段にて、無線で接続することもできる。
【００３９】
本システムは、ＰＣ４内で用意された情報を、転送装置１を経由して、所定の１つもしくは複数の表示装置２（２ａ，２ｂ）へ情報を出力させることを基本的に可能にしたものである。
【００４０】
転送装置１は、ＰＣ４から送られた個別データを受信・抽出し、得た情報と電力を電磁波に変換してアンテナより出力できる手段を設け、さらに、アンテナより電磁波を受信して表示装置を検知する手段を設ける。また、個別の識別記号（以下、ＩＤと記す）を設定できる手段を内蔵させてもよい。
【００４１】
情報プログラム３は、ＰＣ４上で情報を制御管理するプログラムであり、この情報プログラム３では、転送装置１から送られてくる表示装置２ａ，２ｂの情報を用いて、かつ、事前に設定・登録された情報や処理手順により、多様なデータ処理やイベント操作を行うとともに、任意の転送装置へ画像情報と動作命令を送り表示装置２ａ，２ｂへの表示を制御・管理させる。
【００４２】
表示装置２ａ，２ｂは、表示を無電源で保持できる書換え可能な電子表示デバイスである電子ペーパーと、無線タグの構成に見られるような電磁波を受けるアンテナと、この電磁波から電力を取り出し変換する手段と、情報を取り出す手段と、生成した電力を蓄電する手段を設ける。さらに、受信した情報より表示画像を電子ペーパーへ記録する手段とこれらを制御する手段を内蔵させる。
【００４３】
表示装置に用いる電子ペーパーは、所定のギャップをおいて対向する、少なくとも一方が光透過する２枚のシートと、このシートの間に光学的反射濃度や色の異なる１種類もしくは複数の帯電性微粒子を内包させた現像剤を充填し、この現像剤に電界もしくは磁界を印加することで、微粒子をシート内で移動させ、光学的反射濃度や色を変化させる電気泳動や磁気泳動方式の電子ペーパーを利用する。
【００４４】
また、これ以外にも電子ペーパーとして公知の技術手段、例えば、ツイスティングボール、相安定液晶、ＣＮ液晶、トナーディスプレイ、電子粉流体などの方式による表示デバイスを利用できる。
【００４５】
スキャナ６は、公知の画像読取り手段に、無線タグとの通信手段を設け、タグ付き電子ペーパーの表示画像を読み込ませる時に、画像データと一緒にタグ情報を読取らせるものである。
【００４６】
まずは、図２〜図７により、図１に示した基本システム構成の詳細を説明する。
【００４７】
図２は、本発明の実施の形態１における転送装置の内部ブロック図であって、ＣＰＵ１１と、記憶手段であるＲＯＭ（Ｒｅａｄ  Ｏｎｌｙ  Ｍｅｍｏｒｙ）／ＲＡＭ（Ｒａｎｄｏｍ  Ａｃｃｅｓｓ  Ｍｅｍｏｒｙ）１２と、ＰＣ４とのインタフェース回路１３ａと、アンテナ駆動回路１４と、アンテナ１５ａと、蓄電池１６と、ブザー駆動回路１７と、ブザー１８とを備えている。
【００４８】
ＣＰＵ１１はＲＯＭやＲＡＭ１２に搭載したプログラムにより、転送装置１の動作を制
御する。転送装置１は、ＰＣ４と、例えばＵＳＢ２．０仕様でケーブルにて、ＰＣインタフェース回路１３ａにて接続する。したがって、転送装置１には電源回路が不要で、ＰＣに接続したＵＳＢケーブルから電力の供給を受け、これを蓄電池１６に蓄えて、この電力にて駆動できる。１Ｐは、各回路ブロックへ供給される蓄電池１６から出力される直流電源パワーである。ブザー駆動回路１７とブザー１８にて、警告音や操作音を出力できる。
【００４９】
なお、本実施の形態として、転送装置１は電源回路不要としたが、電源手段としてＡＣ電源回路や電池を有する構成であってもよい。また、ブザー駆動回路１７とブザー１８は搭載しなくても良い。ＲＯＭ／ＲＡＭ１２のＲＡＭは、表示画面１枚分もしくは複数枚分の表示データを格納できる容量も有しており、さらには、電力消費がほとんど無く長時間内容を保持できる不揮発性タイプのものが好ましい。
【００５０】
図３は、本発明の実施の形態１における表示装置の内部ブロック図であって、電子ペーパー部２００ａへの書込みを面で書き込めるようにしたものである。
【００５１】
図３において、表示装置２は、表示装置２の動作を制御するためのＣＰＵ２１と、制御プログラムやデータを保持・記録するための記憶素子であるＲＯＭ／ＲＡＭ２２と、送受信アンテナ（以下、単にアンテナという）２５で受信した無線周波数から信号を抽出するためのＲＦ変換回路２３と、アンテナ２５で受信した電磁波から電気エネルギーを抽出し直流電源パワーへ変換するためのＡＣ／ＤＣ変換回路２４と、転送装置１との間で電磁波により通信するためのアンテナ２５と、ＡＣ／ＤＣ変換回路２４で生成した直流電源パワーを蓄えるための蓄電池２６と、電子ペーパー部２００ａと、表示部２７Ｂと、記録制御回路２８を備えている。
【００５２】
ここで、蓄電池２６の電力は、電子ペーパー部２００ａへの記録動作に使用される。
【００５３】
図３の破線で囲まれた２ＣＭの部分は、無線タグを実現する場合の構成要素と同様の回路構成であり、識別記号として個別のＩＤを有することができるとともに、本回路部は極めて小型のＩＣで実現できる。ただし、本実施の形態では、一般の無線タグのチップに比べるとはるかに大きな電力を消費する電子ペーパー部２００ａへの書込みのための回路が搭載されているので、電力を受電するアンテナ２５とそのエネルギーを変換するＡＣ／ＤＣ変換回路２４と蓄電池２６の基本仕様は大きく異なる。例えば、１ＭＨｚの周波数の電磁波を効率的に受信し、アンテナ２５で取り出した低いＡＣ電圧から２５ＶのＤＣ電圧へ昇圧変換して、その電力を電気２重層コンデンサからなるキャパシタを蓄電池２６として利用してもよい。
【００５４】
なお、蓄電池２６には、安定した電圧を取り出すための制御回路を内蔵させても良い。
【００５５】
図４（ａ）は本発明の実施の形態１における電子ペーパーの断面図、（ｂ）は本発明の実施の形態１における電子ペーパーの断面部位を示す図、（ｃ）は本発明の実施の形態１における電子ペーパーの画素駆動回路を示す図、図４（ａ）は図４（ｂ）の断面部位Ａ−Ａを示す。
【００５６】
図４（ａ）において、２００Ｍは電子インク機能を有するマイクロカプセル、２００Ｓはマイクロカプセル２００Ｍを挟むための光透過性のある光透過性シート、２００Ｔはマイクロカプセル２００Ｍを光透過性シート２００Ｓに接合するための非導電性バインダーである。表示面側の光透過性シート２００Ｓの内側全面には、透明電極２０１Ｓがあり、対向する背面側の光透過性シート２００Ｓの内側には、複数の画素電極２７ＢＳが形成されている。
【００５７】
ここで、マイクロカプセル２００Ｍは複数の粒子及び染色された懸濁流体で充填される。粒子は、異なる光学的反射特性を有し、さらに、対照的な電気泳動移極性を有しており、例えば、黒色で＋（プラス）に帯電している粒子２００Ｋと、白色で−（マイナス）に帯電している粒子２００Ｗを利用し、２００Ｌには透明な懸濁流体を充填させたもので構成できる。
【００５８】
なお、本実施の形態として、電子ペーパー部２００ａの両面を透明な光透過性シート２００Ｓとしたが、背面側を不透過のシートや、金属シートおよび絶縁膜による構成であってもよい。
【００５９】
図４（ｂ）の表示部２７Ｂにおいて、２７ＢＳは画素電極、２７ＢＴはスイッチング素子、２８Ｒは横方向の駆動回路、２８Ｃは縦方向の駆動回路である。
【００６０】
表示部２７Ｂには、複数の画素電極２７ＢＳが配置されており、各画素電極２７ＢＳには画素毎にスイッチング素子２７ＢＴが設けられている。図４（ｃ）に示すように、スイッチング素子２７ＢＴのゲート電極とソース電極は、駆動回路２８Ｒと２８Ｃに接続された横方向と縦方向の配線であるソースライン２７Ｃとゲートライン２７Ｒに接続されており、スイッチング素子２７ＢＴのドレイン電極に接続された画素電極２７ＢＳを個別にマトリックス駆動できる。駆動された画素電極２７ＢＳとその透明電極２０１Ｓの間には電界が発生されるので、その間に位置しているマイクロカプセル２００Ｍ内で帯電粒子の移動が行われる。
【００６１】
なお、本実施の形態では、駆動回路２８Ｒと２８Ｃを記録制御回路２８と分離させているが、破線で囲んだ２ＣＭの部分に内蔵させて一体型にすることもできる。
【００６２】
さらに、本実施の形態では、１つの画素電極２７ＢＳに１つのスイッチング素子２７ＢＴを設けたが、電源ラインと複数のスイッチング素子を設けてアクティブマトリックス駆動の構成にしても良い。
【００６３】
図５（ａ）は、本発明の実施の形態１における情報プログラムの遷移図であり、情報登録、出力設定、処理の動作ブロックで構成される。通常、情報プログラムは、各イベントの発生を待機しており、イベントが発生した場合にその動作ブロックが実行される。
【００６４】
図５（ｂ）は、本発明の実施の形態１における動作概略を示すフローチャートであり、本図により以下、動作を詳細に説明する。
【００６５】
利用者は情報プログラム３の図示しないメニュー画面より情報登録モードに入ると、情報登録ステップＳ３１へ進み、ＰＣ４に表示装置２で表示させるための画像や文字などの表示情報や利用者についての個別の属性情報、さらには、表示装置２を管理するための個別情報などを登録する。ここで、表示情報とは、スキャナによりデータ化された画像情報やアプリケーションソフトで作成されたテキストや、図、グラフ、写真等で構成されたドキュメント情報である。また、利用者とは、情報を見る側の人や情報を管理・提供する側の人など複数人による利用形態もある。そこで、複数の利用者を識別管理するために、氏名や会社内における地位や権限、年齢やセキュリティ管理のためのパスワードなど、様々な個人情報を管理することで、多様化した利便性の提供が可能となる。
【００６６】
次に、ＰＣ４にて、情報プログラム３の図示しないメニュー画面から利用者により出力設定のモードに入ると、出力設定ステップＳ３２へ進む。出力設定ステップＳ３２において、表示させる情報について利用者は各種の出力設定を行う。例えば、表示させたい情報、利用者の指定、表示装置の選択、転送装置の指定、複写時の画質劣化パラメーター、複
写の世代回数の指定、表示させる期間などを任意に設定する。これらの出力設定情報は、ＰＣ４もしくはＰＣ４に接続される外部記憶装置４Ｍに記録保存する。
【００６７】
ここで、表示させたい情報は、表示装置２を所有する利用者やＰＣ４で認証した利用者の個人情報に従って、あらかじめ用意していた処理手順にて登録されている情報を加工して用意することが可能である。
【００６８】
例えば、登録情報の一部のみを表示させたり、複数の情報を合わせたり、表示できる期間を限定させたりといった、様々な情報加工処理や応用が可能である。
【００６９】
以下、情報登録されている図示していない資料１の情報を、ＰＣ４に接続されている転送装置１を経由して、ＩＤ＝ｎ１とＩＤ＝ｎ２の２台の表示装置２ａと２ｂへ画質劣化率５％の複写属性をつけて出力する例について動作説明を行う。
【００７０】
転送装置１はＰＣ４に接続され電源供給が開始されると、ステップＳ１１において定期的に個別ＩＤを含めた情報Ｄ１を所定信号の電磁波としてアンテナ１５ａより出力する。ＩＤ送出と電磁波供給を兼ねたステップＳ１１とステップＳ１２の表示装置検出は連続的に繰り返して動作を行う。ここで、利用者が表示装置２ａと２ｂを持って転送装置１へ近づけ、電磁波を受信できる距離内に位置したことをステップＳ２１において受信電力で検出した場合、表示装置２ａと２ｂはその電磁波のエネルギーを電力として、ステップＳ２２へ進み、表示装置２ａと２ｂの持つ個別ＩＤを含んだ情報Ｄ２を転送装置１へ送出する。転送装置１は、ステップＳ１２で検出した表示装置２ａと２ｂのどちらか一方の個別ＩＤに転送装置１のＩＤ（ｍ）を含めた情報Ｄ３として、ＰＣ４へ送信する。表示装置２ａと２ｂはＩＤ送出を行うとステップＳ２３に進み、転送装置１からの電磁波を受信して蓄電池２６へエネルギー充電を行う。続いて、ステップＳ２４にて転送装置１からの指令を受信するまで、ステップＳ２２のＩＤ送出とステップＳ２３の充電動作を繰り返しながら待っている。
【００７１】
なお、表示装置２ａまたは２ｂからのＩＤ送出に際しては、同時タイミングによる送出での衝突を回避するために、ステップＳ２１の電磁波受信をトリガとして乱数によるＩＤ送出タイミングの設定を行い、同時出力の確率が下がるような手段を講じてもよい。
【００７２】
ＰＣ４がステップＳ３３において、転送装置１から表示装置２ａまたは２ｂの検出とそのＩＤ情報が送られてきて、あらかじめステップＳ３２で出力設定されている個別情報から出力指定した装置であることを検出し、さらに、指定の出力条件を満足していることを確認すると、ステップＳ３４へ進み、ステップＳ３２で設定された出力設定情報に従い、情報処理を行う。ここでは、資料１をＩＤ＝ｎ１の表示装置２ａとＩＤ＝ｎ２の表示装置２ｂへ複写属性（画質劣化率５％）を付けて出力する設定が出力設定で記録されているので、先に検出した表示装置２ａのＩＤ情報を受けたＰＣ４は、ＰＣ４内もしくはＰＣ４の外部記憶装置４Ｍに保存されている資料１の情報から電子ペーパーに表示できるサイズの画像情報へ処理し、ステップＳ３５へ進む。ステップＳ３５では、画像出力の指令をＩＤ＝ｎ１の表示装置２ａを検出しているＩＤ＝ｍの転送装置１へ情報Ｄ４として送信する。
【００７３】
情報Ｄ４には、図６（ａ）に本発明の実施の形態１における情報Ｄ４の構成図として示すように指令情報として、装置動作を指示する情報である動作指令（本例では画像表示）、指令先を示す転送装置ＩＤと表示装置ＩＤ、転送する画像データ（本例では資料１の画像）と動作指令に関する詳細を設定する指令付属情報等で構成する。なお、本実施の形態の指令付属情報には、画像表示動作における付属動作設定として、画質劣化率５％や複写世代数制限値等の指令付属情報が含まれている。
【００７４】
なお、ステップＳ３２での記録している出力設定に、何も指令すべき設定がない場合は、図５（ａ）に示すイベント待ち状態へ遷移する。
【００７５】
転送装置１がステップＳ１３において、ＰＣ４からの指令情報Ｄ４を受信すると、その指令を処理する。ＩＤ＝ｎ１の表示記録装置２ａが転送装置１の受信可能範囲内に位置しているかどうかを転送装置１は検出し把握しているので、範囲内にある場合は、指令処理として、ステップＳ１４へ進む。また、指定の表示装置２ａが検出できない場合は、検出できるまでステップＳ１１からステップＳ１２を繰り返しながら待機している。ここでの指令は、ＩＤ＝ｎ１の表示装置２ａへの資料１の画像出力であるので、ステップＳ１４において、ステップＳ１３でＩＤ＝ｎ１の表示装置２ａへの出力であることを示す指令情報とともに、資料１の画像情報と指令付属情報を情報Ｄ５としてアンテナ１５ａより送信する。
【００７６】
表示装置２ａでは、ステップＳ２４において、自分への画像出力指令であることを認識すると、一緒に送られてくる資料１の画像情報を内蔵するＲＯＭ／ＲＡＭ２２へ格納する。
【００７７】
表示装置２ａはステップＳ２５において、受信した画像データ（図７（ａ）本発明の実施の形態１における元の画像データを示す図）と画質劣化率５％の指令付属情報に基づいて画像の表示描画処理を行い（図７（ｂ）本発明の実施の形態１における元の画像データの画像劣化処理後の画像データを示す図）、その処理後の画像を電子ペーパー部２００ａへ書込む。表示描画処理ステップにて、受信したすべての情報書込みが完了すると、ステップＳ２６へ進み、指令情報やＩＤ情報とともに指令処理完了の信号Ｄ６を転送装置１へ送信する。
【００７８】
ここで、図６（ｂ）は本発明の実施の形態１における画質劣化処理を示すフローチャートで、この図を用いて、本例の画質劣化処理について説明する。
【００７９】
表示描画処理では、画像データから１画素を取得する毎にステップＳ４２で１〜１００までの乱数を発生させる。画質劣化率が５％なので、ステップＳ４３にて発生させた乱数と「５」を比較して、乱数の方が同じか小さい場合は、ステップＳ４４で画素処理を行う。大きい場合は、ステップＳ４５で画像データが最終画素かどうかを確認し、最終でない場合はステップ４６により次の画素についても同様の処理を繰り返す。最終画素であれば、ステップ４７で処理を終了する。
【００８０】
ステップＳ４４の画素処理では、黒もしくは白として元の画像データに置き換えることでノイズを重畳させて、画質劣化処理を行う。なお、重畳ノイズは乱数でなく、画質劣化率に応じた固定の非周期パターンでも良い。
【００８１】
また、ノイズ重畳方法としては、画素の黒化や白化の替わりに、特定の確率で選択された画素の情報反転化（白→黒、黒→白）という処理や対象画素とその周辺画素との演算処理でもよい。なお、これら処理は簡単なハードウェアでも実現できる処理方法が望ましい。
【００８２】
画質処理後のデータを電子ペーパーへ画像描画し完了すると、表示装置２ａ内の指令付属情報の実行済み表示画質劣化率を０から５％に書き換える。
【００８３】
図５（ｂ）に戻って、転送装置１は、ステップＳ１５で、表示装置２ａからの指令完了を受信すると応答信号Ｄ７をアンテナ１５ａより出力し、ステップＳ１６へ進む。さらに、ステップＳ１６で指令完了情報Ｄ８をＰＣ４へＰＣインタフェース１３ａから送信し、
ＰＣ４からの応答を待つステップＳ１７へ進む。
【００８４】
ＰＣ４は、ステップＳ３５で指令出力した後は、ステップＳ３６へ進み、転送装置１からの指令完了情報Ｄ８を待っており、指令完了情報Ｄ８を確認すると応答信号Ｄ９を転送装置１へ送信し、ステップＳ３７へ進む。ステップＳ３７において、ＰＣ４は指定の処理の一部が完了したことを履歴として図示していないＰＣ４内の記憶手段、または、ＰＣ４に接続された外部記憶装置４Ｍに記録する。例えば、コピー回数のカウント数値の記録や複写先の表示装置のＩＤや複写時間等のログ情報を記録させる。
【００８５】
次に、表示装置２ｂへの資料１の画像出力という未実施で残っている処理を、前記の表示装置２ａへの出力動作と同様に転送装置１を通して行う。
【００８６】
転送装置１は、ステップＳ１７でＰＣ４からの応答信号Ｄ９を受信し確認すると、最初のステップＳ１１へ戻り、同様の動作を表示装置２ｂに対して繰り返す。
【００８７】
さらに、表示装置２ａを移動して図示していない別の同様の環境にて、今度は表示装置２ｃへ表示装置２ａの表示画像を複写させる場合、５％劣化させた画像データと実行済み表示画質劣化率（５％）と、最初に情報源（情報提供者）から出力された時に設定された画質劣化率（５％）の付属情報が、表示装置２ａから別の転送装置１を経由してＰＣ４へ転送され、ＰＣ４から別の転送装置１を経由して表示装置２ｃへ上記情報が送られる。
【００８８】
なお、転送装置１においてＣＰＵ１１やメモリ容量を大きくし処理プログラムを搭載して高機能にすることで、ＰＣ４の介在なしで、直接、表示装置２ａから転送装置１を経由して表示装置２ｂへ情報の伝達を行うこともできる。
【００８９】
さらに、前記ステップＳ２６とステップＳ１５とステップＳ１６では、指令完了情報のＤ６とＤ８の出力としたが、指令の途中経過処理情報を転送装置とＰＣ４へ処理が完了するまで数回、送信させることもできる。
【００９０】
表示装置２ｃでは、受信した５％の劣化済み画像データの上に、さらに５％の画質劣化処理を施して表示させる。ここで、表示装置２ｃ内の指令付属情報の実行済み表示画質劣化率を５％から１０％に書き換える。なお、画質劣化率は５％のまま保持させる。
【００９１】
この場合、２０世代も複写すれば全黒もしくは全白もしくは白黒率５０％となり完全に判読不可能な状態になり、アナログによるコピーと同様の効果を持たせることができる。
【００９２】
かかる構成による電子ペーパーシステムによれば、転送装置１により表示装置２ａや２ｂと非接触で通信し、表示装置２ａと２ｂを検知し、表示側の固体識別情報を情報プログラム３で認識させることにより、固体識別情報に基づいて、事前に設定・登録された情報や処理手順から多様なデータ処理を行うとともに、任意の転送装置へ画像情報と動作命令を送り所望する表示装置への表示を制御・管理することができる。
【００９３】
したがって、出力設定をした後は、表示装置を転送装置に近づけるだけで、任意の表示情報に、所望の情報を表示できるので、従来にないプリンティングソリューション環境を提供できる。
【００９４】
また、電子ペーパーは繰り返し書込みと消去が可能であるため、作成資料の試し出力などで無駄にしていた紙資源の削減目的に、利用できる。
【００９５】
さらに、複写における付属情報を持たせることで、簡単な方法にて複写する度に徐々に
画像情報のコントラストを落とすことで画質を劣化させることができ、かつ、複写回数にも制限を持たせることが可能となることから、複写などの行為に対しても情報セキュリティや著作権の維持としての多様な制約が可能になる。
【００９６】
また、複写が完了する前の途中で、表示装置が移動され通信不可能状態になり、処理が中断しても、処理の途中経過情報を管理することで、再度、表示装置を転送装置に近づけ通信可能な状態になった場合に、残りの複写情報のみを転送することができ、動作の安定性向上が可能となる。
【００９７】
なお、本実施の形態の説明において、情報処理として資料１の情報から電子ペーパーに表示できるサイズの画像情報へ処理する例を記したが、利用者の属性から資料１の一部のみを表示する画像情報として処理させることや、別の情報を資料１に付加させて画像情報として処理させるなど、多様な情報処理をさせることで、利用者への注意喚起・再確認・情報の要約による効率化・宣伝効果などの様々な利便性を実現できる。
【００９８】
例えば、図７（ｃ）に本発明の実施の形態１における元の画像データの情報を付加した画像データを示す図として示すように、複写の利用者の氏名情報Ｄ１を画像に付加できる。
【００９９】
また、図７（ｄ）に本発明の実施の形態１における元の画像データの情報を付加した画像データを示す図として示すように、期間や場所についての画像表示制約の情報Ｄ２を画像に付加することもできる。
【０１００】
さらに、複写の付属属性として画質劣化率の例で説明したが、劣化の無いオリジナル情報を同時複写回数や総複写回数という属性を持たせることで、完全画質の情報について、その総複写数を制限でき、かつ、特定のグループメンバーのみへ複写許可させるなどの制限設定が可能となる。
【０１０１】
（実施の形態２）
図８は、本発明の実施の形態２における電子ペーパーシステムの構成図である。図８において、図２〜図７と同じ構成要素については同じ符号を用い、説明を省略する。
【０１０２】
図８では、複数の転送装置１とＰＣ４を部屋に配置した、電子ペーパーシステムを利用した複合システムの構成を示している。
【０１０３】
図８において、本実施の形態では、ＰＣ４や転送装置１を置くためのテーブル７と、部屋を仕切る壁８とを備えており、転送装置１の別形態として、無線によりネットワークと接続できる機能を有する接続装置付きの転送装置１Ｂを設けることにより、電子ペーパーシステムを構成している。
【０１０４】
転送装置１が接続されたＰＣ４には、各々情報プログラム３がインストールされている。
【０１０５】
ただし、１つの情報プログラム３が全体を管理制御するマスターになり、他は、マスターに設定された情報プログラム３と連携を取って、その支配下で動作する。これらの連携動作は、図５（ａ）の処理のための動作ブロックＳ３０にて、行われる。
【０１０６】
図９は、本発明の実施の形態２における転送装置のブロック図であり、図９において、図２と同じ構成要素については同じ符号を用い、説明を省略する。転送装置１Ｂは、転送装置１とほとんど同じ構成であり、異なる点は、ＰＣとのインタフェース回路が既知技術
であるＢｌｕｅｔｏｏｔｈや無線ＬＡＮ等の無線通信に対応した無線通信インタフェース回路１３ｂであり、そのためのアンテナ１５ｂと電源回路１９を備えたことである。
【０１０７】
転送装置１Ｂは、常時ネットワークに接続されている状態であり、それらの管理は、システムの全体を管理できるマスターに設定されている情報プログラム３が行う。
【０１０８】
そのために、転送装置１に内蔵する記憶素子であるＲＯＭ／ＲＡＭ１２には、個別のＩＤ情報が設定される。このＩＤ情報によって、情報プログラム３は、複数の転送装置を識別可能となる。
【０１０９】
なお、電源回路１９は、乾電池や太陽電池などの、ＡＣ電源を利用しない手段で構成することもできる。
【０１１０】
かかる構成によれば、転送装置１により表示装置２と非接触で通信し、表示装置２を検知し、表示側の固体識別情報をもとに情報プログラム３で認識させることにより、設定・登録された情報や処理手順にしたがって、表示装置２の所在管理や利用者への持ち出しに対する警告やその表示情報の制御や管理を行うことができる。
【０１１１】
例えば、別の場所にある転送装置を経由して、その近くに配置された表示装置へ複写情報を表示させることができる。また、会議室にある転送装置へ事前に複写指令を出しておき、参加者の持ち込んだ表示装置を転送装置へかざした時点にその表示装置へ情報を描画させることができる。
【０１１２】
さらに、指定エリアからの表示装置持ち出しで、情報を消去させる指令を表示装置へ送り画像を消去させることができる。また、指定エリアからの持ち出しや検出可能範囲内から表示装置が出た場合などの事前に設定した警告処置に対して、転送装置やＰＣから警告音をその場で発したり、表示装置にて指定の時間で表示情報を自動消去させたり、情報を更新させたりすることが可能となる。
【０１１３】
したがって、電子ペーパーとその表示情報の管理を電子ペーパーシステムにより組織的に使用できる広い利用環境が構築できる。
【０１１４】
なお、省略して記載はしていないが利用者や装置と表示情報の制御や管理のための情報は、ＰＣ間で連携して処理され一元管理されている。
【０１１５】
（実施の形態３）
図１０は、本発明の実施の形態３における表示装置のブロック図である。図１０において、図３と同じ構成要素については同じ符号を用い、説明を省略する。図１０の表示装置２は、電子ペーパーへの書込みを２つの面で挟んで、記録を面で書き込めるようにしたものである。図９において、記録制御回路２８に接続される記録面２７Ａは記録部である電子ペーパー２００ｂを有しており、電極シート２０１に密着させることができるようになっている。なお、破線で囲んだ２Ｂ部は、表示部以外の回路であり、１チップによるＩＣ化ができる。
【０１１６】
よって、電子ペーパー２００ｂを表示装置２の記録面２７Ａ上に置き、全面に透明電極を配した光透過性のある電極シート２０１で挟んだ状態で利用する。
【０１１７】
ここで、電子ペーパー２００ｂは図示していない機構により、記録面２７Ａに対する電極シート２０１の開閉を制御することで、表示装置２から着脱可能であり、この着脱の制御は情報プログラム３により管理される。
【０１１８】
図１１（ａ）は本発明の実施の形態３における電子ペーパーの断面図、（ｂ）は本発明の実施の形態３における電子ペーパーの断面部位を示す図で、図１１（ｂ）は図１１（ａ）の断面部位Ｂ−Ｂを示す。
【０１１９】
記録面２７Ａ上には、複数の画素電極２７ＡＳが配置されており、記録制御回路２８と図示していない配線により接続されている。電極シート２０１の電子ペーパー２００ｂに触れる側の面には、透明電極２０１Ｓがあり、前述の画素電極２７ＡＳとの間に任意の電圧を加えることにより電界を発生させて、電子ペーパー２００ｂへ書込みを行うことができる。
【０１２０】
図１２（ａ）は本発明の実施の形態３における電子ペーパーの構成図、（ｂ）は本発明の実施の形態３における電子ペーパーの時の書込み動作を説明する断面図で、図１２（ｂ）は図１２（ａ）の断面部位Ｃ−Ｃを示す。電子ペーパー２００ｂは、マイクロカプセル２００Ｍを含む表示領域２００ｐの外側に無線タグ２１０がマイクロカプセル２００Ｍと同様に光透過性シート２００Ｓの間に非導電性バインダー２００Ｔで接着し挟み込まれている。
【０１２１】
ＲＦＩＤ（Ｒａｄｉｏ  Ｆｒｅｑｕｅｎｃｙ  ＩＤｅｎｔｉｆｉｃａｔｉｏｎ）として既知の無線タグ装置２１０は、表示装置２に示すＣＰＵ２１、ＲＯＭ／ＲＡＭ２２、ＲＦ変換回路２３、ＡＣ／ＤＣ変換回路２４、アンテナ２５、蓄電池２６等の同様な回路ブロックで構成され、ゴマ粒程の小型のものが実用化されている。
【０１２２】
この無線タグ２１０は、直接的に転送装置１と無線通信を行う、または、表示装置２と無線通信を行う、または、スキャナ６に内蔵した図示していないタグリーダーと無線通信する構成とすることができる。
【０１２３】
かかる構成の電子ペーパーシステムの表示装置２では、透明な電極シート２０１で挟んだままで情報を見ることと持ち運ぶことができるので、電子ペーパーがめくれることなく使用できるという利便性の向上を図ることができる。これに類似して、文房具のクリアファイル（商品名）に資料を挟んで持ち運ぶという形態が一般的にはよく利用されているが、この従来の利便性に加えて、電子ペーパーへの表示が書換え可能であることから、持ち運ぶ紙の量を減らせることができる。さらに、記録後の電子ペーパーを取り出して見ることができることから使用者は持ち上げる時により軽量なので、表示装置を持ち上げて見る場合と比較して、その疲労感を軽減できる。
【０１２４】
また、電子ペーパーが表示装置２から着脱できる仕様の場合においても、取り外した電子ペーパーとその情報管理が、表示装置２に監視目的で搭載した着脱機構なしで可能となる。さらに、スキャナ６で読取れば、ペーパーに付随したタグ情報も画像データと同時に読取ることができるので、情報の一元管理や複写制限などの継続性が保たれる。
【０１２５】
例えば、上述した画質劣化率が設定されていれば、スキャナから出力する画像データをＰＣへ出力する前に画質劣化処理を施すことで、継続できる。さらに、複写禁止状態になっていれば、画像読取りを禁止し、著作権違反であるといった警告を出力することも可能となる。
【０１２６】
なお、本実施の形態で、一つの無線タグを搭載したが、複数個の無線タグや異なる無線周波数に対応した複数種類の無線タグを搭載しても良い。さらに、ここでは半導体チップによりできた無線タグ２１０を内蔵させているが、有機半導体による回路パターンを光透過性シート２００Ｓ上にパターン化しても良い。
【０１２７】
かかる構成によれば、複数の電子ペーパーの同時検出性能を向上でき、厚みの均一な電子ペーパーが可能となる。
【０１２８】
（実施の形態４）
図１３は、本発明の実施の形態４における表示装置のブロック図である。図１３において、図３と同じ構成要素については同じ符号を用い、説明を省略する。図１３の表示装置２は、電子ペーパー２００ｂへの書込みを面から線で書き込めるようにしたものであり、２７は電子ペーパー２００ｂに接触し共通電極（電極シート）２０１と挟んだ状態で電子ペーパー２００ｂへ電界を印加するための複数の画素電極を有したライン型の記録ヘッド、２８は記録ヘッド２７の画素電極へ電圧を印加するための記録制御回路、２９は電子ペーパー２００ｂに対して図示していない搬送機構において記録ヘッド２７をＸ−Ｙ方向に移動させるための駆動用モータ、２９Ｃは駆動用モータ２９の動作を制御するためのモータ駆動回路である。
【０１２９】
図１４（ａ）は、本発明の実施の形態４における電子ペーパーの断面図、（ｂ）は本発明の実施の形態４における電子ペーパーの断面部位を示す図で、図１４（ａ）は図１４（ｂ）の断面部位Ｄ−Ｄを示し、電子インク機能を有するマイクロカプセル２００Ｍとこれを挟むための光透過性のある光透過性シート２００Ｓと接合するための非導電性バインダー２００Ｔで構成した極めて単純な例である。
【０１３０】
なお、本実施の形態として、電子ペーパーの両面を透明な光透過性シート２００Ｓとしたが、片方を不透過のシートや金属を蒸着させたシートであってもよい。また、電子ペーパーは、無線タグを内蔵した電子ペーパー２００ｂを利用することもできる。
【０１３１】
図１５は、本発明の実施の形態４における電子ペーパーへの書込み動作を示す概要図である。画素電極をライン状に配列した記録ヘッド２７の１つの画素電極２７Ｓに記録制御回路２８により、画素電極２７Ｓと共通電極（電極シート）２０１間への印加する電圧と極性を切替えることで、マイクロカプセル２００Ｍ内の帯電粒子２００Ｋと２００Ｗを電気泳動させて、表示画像を記録ヘッド２７の下側にライン状に画像を書込み、さらに、記録ヘッド２７をＹ方向へ移動させて次のラインを記録することで、電子ペーパー２００ｂの全体面へ書込むことができる。
【０１３２】
なお、搬送機構で記録ヘッド２７を移動させているが、記録ヘッド２７の位置を固定して、電子ペーパー２００ｂを図示していない搬送機構で移動させることも可能である。
【０１３３】
かかる構成の電子ペーパーシステムの表示装置２では、電子ペーパーの書込み部を簡素化し、安価に作成することができる。
【０１３４】
（実施の形態５）
上述した図１０や図１３に示した実施の形態では、表示装置２の表示デバイスである電子ペーパー２００ｂは、表示装置２から着脱可能の構造で１枚のみをセットしているが、複数の電子ペーパーを個別に着脱できる構造にすることもできる。さらに、大きさの異なる複数の電子ペーパーを個別に着脱できるようにすることができる。また、電子ペーパーが表示装置２に固定されて着脱できない構造や表示装置２に情報記憶手段を内蔵させることができる。
【０１３５】
かかる構成の電子ペーパーシステムの表示装置２で、より多くの情報を一度に表示させることができ、手軽に必要な情報のみを携帯させることができる。さらに、記憶手段が内蔵されていると、管理情報と一緒に表示情報を受信して保存させ、情報の書込みと消去と
表示管理を表示装置２だけで行えるので、より多くの情報を単独で表示させることが可能となる。
【０１３６】
（実施の形態６）
上述の図１３の表示装置２では、記録ヘッド２７を電子ペーパー２００ｂに対して動かして書込みをしているが、サーマルプリンタのように記録ヘッド２７を固定にして電子ペーパー２００ｂを搬送させる構成とすることもできる。
【０１３７】
かかる構成によれば、電子ペーパーシステムの表示装置２をより小型にすることができる。
【０１３８】
（実施の形態７）
上述の図２や図９に示す転送装置１には記載されていないが、転送装置１，１Ｂに、液晶ディスプレイなどの表示機能手段を有することができる。
【０１３９】
かかる構成によれば、電子ペーパーシステムの転送装置にて、利用者への警告や注意などに対して、より多くの情報提供や指示が可能となり利便性が向上できる。
【０１４０】
（実施の形態８）
上述の図２や図９においては、ブザー１８を設けているが、ブザー１８の他にも、利用者へ認知させる振動や光による点滅など他の手段を搭載することもできる。さらに、ＰＣ４が有するブザー１８での警告音やディスプレイ画面への表示にて警告手段を提供することも可能である。また、表示装置２からの電子ペーパー部２００ａ，電子ペパー２００ｂへの書込みの際の警告手段を提供することもできる。
【０１４１】
かかる構成によれば、警告などについての利用者認知がさらに向上できる。
【０１４２】
（実施の形態９）
図３，図１０，図１３に示した表示装置２の電子ペーパーへの記録部は、有機半導体により回路を構成することができる。特に、図４（ｂ）に示したスイッチング素子２７ＢＴは有機系電界効果トランジスタを用いることが望ましい。
【０１４３】
例えば、導電性高分子であるＰＥＤＯＴ（ｐｏｌｙ−ｅｔｈｙｌｅｎｅ  ｄｉｏｘｙ  ｔｈｉｏｐｈｅｎｅ）をインクジェット法で描画して、ソース、ドレイン、ゲートを形成し、ソースとドレイン上には膜圧を３０ｎｍ以下にした共役系高分子の半導体層をスピンコート法で形成し、その上には膜圧５００ｎｍの高分子絶縁体層をスピンコート法で形成して、その上にゲートを形成することで、トップゲート構造のＴＦＴ（Ｔｈｉｎ  Ｆｉｌｍ  Ｔｒａｎｓｉｓｔｏｒ）を実現できる。
【０１４４】
かかる構成によれば、表示装置２もしくは、電子ペーパー部をより薄型に軽量化が可能となる。
【０１４５】
（実施の形態１０）
前記の転送装置１や表示装置２やスキャナ６に搭載したアンテナを有機材料により構成することができる。
【０１４６】
例えば、アンテナは、金属板、磁性体、導体パターンで構成される。転送装置１のテーブルに置く側の面からは不要な電磁界の放射を防止するため、アンテナ部の片面にアルミなどの金属シートを用い、その上には、磁性材もしくは、磁性材、誘電体の無機材料と高分子有機材料を混合したハイブリッド材料をプレス等により積層し、さらにその上にイン
クジェット法により抵抗値の極めて低い導電性の高い有機材料でアンテナパターンを形成し、シート状のアンテナを作成する。このシート状のアンテナにおいて、アンテナパターンの端部に接触させるように、周辺回路を内蔵させたＩＣチップを搭載することで、装置を構成する。
【０１４７】
なお、表示装置２のアンテナでは、先のシールド用の金属板は無くても良い。
【０１４８】
非接触にて電力伝送を転送装置と表示装置間で行う場合は、電磁誘導を利用することができるが、一般的に、ＰＨＳ端末や電気カミソリに使用されているコイルによるアンテナでは、その電力伝送効率は２０〜３０％程度と低く、かつ、取り出し電圧を高めるために巻き数を多くしたコイルがフェライトコアに巻かれていたため、サイズも大きくなっていた。
【０１４９】
本実施の形態では、１００ｋＨｚ以上の高い周波数で送受電を行うことで、有機材料の使用が可能になり、効率も向上できる。
【０１５０】
よって、かかる構成によれば、転送装置１や表示装置２をより小型・薄型にし、軽量化が可能となる。
【０１５１】
（実施の形態１１）
前記の転送装置１や表示装置２に搭載したアンテナや無線タグは、１種類で構成されているが、異なる無線方式を利用するように、異なる複数のアンテナや無線タグで構成することができる。
【０１５２】
図１６は、本発明の実施の形態１１における電子ペーパーの構成図である。図１６において、２ＣＭは図１３で示した回路ブロックのＩＣ（Ｉｎｔｅｇｒａｔｅｄ  Ｃｉｒｃｕｉｔ）、２５Ｓは転送装置１との間で通信を行うためのアンテナ、２５Ｐは転送装置１からの電力供給を受けるためのアンテナである。電力用のアンテナ２５Ｐは、大面積化ができるように表示部の周囲に配置できる。
【０１５３】
ここで、これらのアンテナはシートの上に金属材料もしくは有機材料をパターン化し、表示部に使用するマイクロカプセル等の表示媒体と同じ層に蒸着や塗布にて構成できる。
【０１５４】
さらに、蓄電池１６には、シート状のキャパシタをシートの下面に配することができる。
【０１５５】
なお、図１６では周辺部にアンテナを配置したが、特に、電子ペーパー部２００ａがロイコ紙のように熱記録する方式の場合など、裏面全体にアンテナを設けることも可能である。
【０１５６】
かかる構成によれば、転送装置１や表示装置２の電力伝送効率の向上と装置の薄型化が可能となる。また、通信時間の短縮化が可能となる。
【０１５７】
（実施の形態１２）
前記の表示装置２には、蓄電池１６の残量検出手段を内蔵させることができる。さらに、電子ペーパーの表示部の一部、もしくは、別に設けた専用の表示部にその残量検出結果や転送装置１との通信接続状態や受電感度などのステータス情報を表示させることができる。
【０１５８】
かかる構成によれば、表示装置２の利用において、表示書換えのページ数や速度予測、
さらに、転送装置１との通信状況を把握でき、表示装置２の利用位置の確認や携帯時の利用性向上が可能となる。
【０１５９】
（実施の形態１３）
前記のスキャナ６には、転送装置と同等か、または、無線タグのリーダー機能を搭載し、さらに、読取り画像を加工処理できる機能とネットワークに接続できる機能を設けることができる。
【０１６０】
かかる構成によれば、タグを付属させたペーパーや取外し可能な電子ペーパーへ記録された画像をスキャナで光学的に読取り複写しようとしても、複写制限や制約をタグから引継ぐことで、直接、画像情報を加工処理することができる。さらに、読取ったタグ情報をＰＣの情報プログラムへ送ることで、ＰＣに組み込まれたデータベース情報との連携が可能となり、著作権維持やセキュリティ管理の範囲が拡大可能となることで、様々なソリューションに対応できるしくみを構築できる。
【０１６１】
（実施の形態１４）
図１７（ａ）は本発明の実施の形態１４の電子ペーパーシステムにおける転送装置の内部ブロック図、（ｂ）は本発明の実施の形態１４の電子ペーパーシステムにおける転送装置の断面図である。図１７において、図２と同じ構成要素については同じ符号を用い、説明を省略する。図１７の転送装置１は、無線通信用のアンテナ１５ａとそのアンテナ駆動回路１４ａに、さらに、電力供給用の複数のアンテナ１５ｐと接続回路１４ｓとアンテナ駆動回路１４ｂを加えた例である。アンテナ駆動回路１４ｂの出力は電力供給用のアンテナ１５ｐへアンテナ毎に設けた接続回路１４ｓで接続される。また、各接続回路１４ｓはＣＰＵ１１とも接続されており、ＣＰＵ１１からその接続動作を制御する。また、転送装置１には、本装置の電源供給機能として、電源回路１９を備える。
【０１６２】
ここで、アンテナ駆動回路１４ｂは、接続回路１４ｓで接続されたアンテナ１５ｐの数が変化しても、各アンテナより所定のエネルギーが放出されるように、接続個数に応じて駆動回路動作が制御されることが望ましい。
【０１６３】
アンテナ１５ｐは、フェライトコアに巻線を施したものや、パターンでリアクタンスを形成したものなど、電界や磁界や電磁波を板状の転送装置１の面に対して垂直方向へ出力できるようにしたものである。また、アンテナ１５ｐは複数個にて、転送装置１の全体面をカバーするように配置する。
【０１６４】
なお、転送装置１の表面に対して裏面方向になる背面へのエネルギー放出を防止するために、アンテナの背面側に損失が少なくなるような磁性体（例えば、フェライト）とさらに、その外側に金属シールドを施すことが望ましい。
【０１６５】
図１８（ａ）は本発明の実施の形態１４における表示装置の構成図、（ｂ）は本発明の実施の形態１４における表示装置の断面図である。図１８（ａ），（ｂ）において、図１６と同じ構成要素については同じ符号を用い、説明を省略する。表示装置２には、表示領域の周囲に電力受電用のアンテナ２５Ｐを複数配置している。各アンテナ２５Ｐはパラレルにパターンに接続され、チップ化されたＩＣ回路部２ＣＭに接続される。アンテナ２５Ｐで受電した電力はＩＣ回路部２ＣＭ内で任意の一定電圧に変換され、表示領域２００ｐの裏側に配置された蓄電池２６へ供給される。
【０１６６】
図１７と図１８により、表示装置と転送装置間における、無線電力供給実施の形態の動作について説明する。シート状の転送装置１の上に表示装置２が任意の位置に置かれ、無線通信にて表示装置２の存在を転送装置１が検知した場合、転送装置１で、定期的に表示
装置２の転送装置１上の位置検出動作を行うようにする。
【０１６７】
ここで、位置検出動作を以下説明する。転送装置１内に複数有する接続回路１４ｓの中から１個だけアンテナ１５ｐと接続させるようにＣＰＵ１１で接続回路１４ｓを制御する。すると、接続されたアンテナ１５ｐからはエネルギーが放出される。表示装置２は、このエネルギーをアンテナ２５Ｐで受けると、ＩＣ回路部２ＣＭで所定の起電力を受電したことを検出できる。
【０１６８】
そして、検出した起電力があれば、その起電力情報を無線通信で転送装置１へ送る。転送装置１で、順次、接続装置を制御して、１個ずつアンテナよりエネルギーを出力し、表示装置２からの通信応答結果を記録する。
【０１６９】
転送装置１は、受信した起電力情報から表示装置２の転送装置１上の位置を推定し把握できる。したがって、表示領域２００ｐの下を除いて、表示装置２の下に位置し効率的な電力供給につながる転送装置１のアンテナのみから無線でエネルギー供給をさせる。
【０１７０】
なお、ここで、アンテナの大きさはアンテナ１５ｐがアンテナ２５Ｐより小さい方が好ましい。
【０１７１】
かかる構成の電子ペーパーシステムは、転送装置１上に表示装置２が置かれていれば、非接触で通信して表示装置２を検知し、不要な電磁波の放出を抑制して無線で電力供給を行うことができる。よって、この利用形態においては、表示装置２の蓄電池へ十分な電力供給が行われやすく、利用者は、書込み表示させたいときにすぐに、表示側の固体識別情報を情報プログラム３で認識させることにより、固体識別情報に基づいて、事前に設定・登録された情報や処理手順から多様なデータ処理を行うとともに、転送装置から画像情報と動作命令を送り転送装置と通信可能なところに位置している所望する表示装置への表示を制御・管理することができる。
【０１７２】
さらに、たとえ電磁波をシールドするような、または、吸収するような金属や金属シートや磁性体などの異物が表示装置２と転送装置１の間に挟まっている場合であっても、既定の起電力情報を得ることができなかったアンテナを転送装置１内で接続せず未使用にすることで、無線電力供給においての不安全やエネルギーロスの発生を防止できる。
【０１７３】
（実施の形態１５）
前記の転送装置１には、面を覆い尽くすように数多くのアンテナ１５ｐを設け、表示装置２にも、多くのアンテナ２５Ｐを設けていたが、表示装置２にアンテナ２５Ｐを４隅にだけ設け、さらに、転送装置１では、アンテナ１５ｐの位置がわかるように転送装置１の表面にマークを設け、それぞれのアンテナの数を間引きした構成にすることも可能である。
【０１７４】
この時は、利用者が使用する際に、転送装置１のアンテナ１５ｐと表示装置２のアンテナ２５Ｐのそれぞれ１個が一致するように置く、または、かざすようにすれば良い。
【０１７５】
かかる構成によれば、装置が簡略化されるので安価にすることができる。
【０１７６】
（実施の形態１６）
前記の転送装置１は、マウスパッドのような小型の形状でもよいが、さらに、大型のもので、事務用机や会議テーブルの天面に組み込むことが可能である。
【０１７７】
かかる構成によれば、転送装置を利用者が意識することなく、簡易に使用することがで
きる。
【０１７８】
前記の電子ペーパーでは、電界で表示する電気泳動方式について動作を説明したが、電子ペーパーの表示媒体は液晶などの、電界で表示が制御でき、表示を無電力で保持できるような他の方式を用いることも可能であることは、当然である。
【０１７９】
さらに、ロイコ紙のような再書込可能な感熱紙を使用し、前記、記録面の画素電極を発熱体で構成しても、同様の機能を達成することができる。
【産業上の利用可能性】
【０１８０】
本発明にかかる電子ペーパーシステムは、可搬性の高い表示装置に情報を表示でき、さらに、画像入力と表示する画像や情報と、表示装置もしくは電子ペーパーを管理できる。よって、本発明は、情報の複写や配布を手軽に行うことができ、かつ、無駄な紙出力の削減と紙では不可能であった出力情報のセキュリティ管理を実現できる電子ペーパーシステムとして、適用することができる。
【図面の簡単な説明】
【０１８１】
【図１】本発明の実施の形態１における電子ペーパーシステムの構成図
【図２】本発明の実施の形態１における転送装置の内部ブロック図
【図３】本発明の実施の形態１における表示装置の内部ブロック図
【図４】（ａ）本発明の実施の形態１における電子ペーパーの断面図、（ｂ）本発明の実施の形態１における電子ペーパーの断面部位を示す図、（ｃ）本発明の実施の形態１における電子ペーパーの画素駆動回路を示す図
【図５】（ａ）本発明の実施の形態１における情報プログラムの遷移図、（ｂ）本発明の実施の形態１における動作概略を示すフローチャート
【図６】（ａ）本発明の実施の形態１における情報Ｄ４の構成図、（ｂ）本発明の実施の形態１における画質劣化処理を示すフローチャート
【図７】（ａ）本発明の実施の形態１における元の画像データを示す図、（ｂ）本発明の実施の形態１における元の画像データの画像劣化処理後の画像データを示す図、（ｃ）本発明の実施の形態１における元の画像データの情報を付加した画像データを示す図、（ｄ）本発明の実施の形態１における元の画像データの情報を付加した画像データを示す図
【図８】本発明の実施の形態２における電子ペーパーシステムの構成図
【図９】本発明の実施の形態２における転送装置のブロック図
【図１０】本発明の実施の形態３における表示装置のブロック図
【図１１】（ａ）本発明の実施の形態３における電子ペーパーの断面図、（ｂ）本発明の実施の形態３における電子ペーパーの断面部位を示す図
【図１２】（ａ）本発明の実施の形態３における電子ペーパーの構成図、（ｂ）本発明の実施の形態３における電子ペーパーの時の書込み動作を説明する断面図
【図１３】本発明の実施の形態４における表示装置のブロック図
【図１４】（ａ）本発明の実施の形態４における電子ペーパーの断面図、（ｂ）本発明の実施の形態４における電子ペーパーの断面部位を示す図
【図１５】本発明の実施の形態４における電子ペーパーへの書込み動作を示す概要図
【図１６】本発明の実施の形態１１における電子ペーパーの構成図
【図１７】（ａ）本発明の実施の形態１４の電子ペーパーシステムにおける転送装置の内部ブロック図、（ｂ）本発明の実施の形態１４の電子ペーパーシステムにおける転送装置の断面図
【図１８】（ａ）本発明の実施の形態１４における表示装置の構成図、（ｂ）本発明の実施の形態１４における表示装置の断面図
【符号の説明】
【０１８２】
１，１Ｂ    転送装置
２，２ａ，２ｂ    表示装置
３    情報プログラム
４    パソコン（ＰＣ）
５    ケーブル
１１    ＣＰＵ
１２    ＲＯＭ／ＲＡＭ
１３ａ    インタフェース回路
１４    アンテナ駆動回路
１４ａ，１４ｂ    アンテナ駆動回路
１４ｓ    接続回路
１５ａ，１５ｂ，１５ｐ    アンテナ
１６    蓄電池
１７    ブザー駆動回路
１８    ブザー
１９    電源回路
２１    ＣＰＵ
２２    ＲＯＭ／ＲＡＭ
２３    ＲＦ変換回路
２４    ＡＣ／ＤＣ変換回路
２５，２５Ｓ，２５Ｐ    アンテナ
２６    蓄電池
２７    記録ヘッド
２７Ａ    記録面
２７ＡＳ    画素電極
２７Ｂ    表示部
２７ＢＳ    画素電極
２７ＢＴ    スイッチング素子
２７Ｓ    画素電極
２８    記録制御回路
２８Ｃ，２８Ｒ    駆動回路
２００ａ    電子ペーパー部
２００ｂ    電子ペーパー
２００ｐ    表示領域
２００Ｍ    マイクロカプセル
２００Ｓ    光透過性シート
２００Ｔ    非導電性バインダー
２０１    電極シート
２０１Ｓ    透明電極
２１０    無線タグ
【図１】
2006059138.tif 000003
【図２】
2006059138.tif 000004
【図３】
2006059138.tif 000005
【図４】
2006059138.tif 000006
【図５】
2006059138.tif 000007
【図６】
2006059138.tif 000008
【図７】
2006059138.tif 000009
【図８】
2006059138.tif 000010
【図９】
2006059138.tif 000011
【図１０】
2006059138.tif 000012
【図１１】
2006059138.tif 000013
【図１２】
2006059138.tif 000014
【図１３】
2006059138.tif 000015
【図１４】
2006059138.tif 000016
【図１５】
2006059138.tif 000017
【図１６】
2006059138.tif 000018
【図１７】
2006059138.tif 000019
【図１８】
2006059138.tif 000020